(57)【要約】【課題】異なる周波数が割り当てられた複数の無線セルが地理的に重複して設定された環境で、個々の無線セルに在圏する移動局の中から、ある対象領域内に在圏する移動局を把握可能な利用者情報管理システムを提供する。【解決手段】３Ｇ公衆基地局１１およびＬＴＥ公衆基地局２１が設定した複数の無線セルに対応する報知情報であって、３Ｇ公衆基地局１１およびＬＴＥ公衆基地局２１が出力する報知情報とは異なる報知情報を基地局４０が対象領域Ｘに向けて出力し、無線セル２００を形成する。無線セル２００内に進入してきた移動局５００は無線セル２００の報知情報を受信して位置登録処理を実施する。これにより、異なる周波数が割り当てられた複数の無線セルが地理的に重複して設定された環境であっても、情報管理装置３０は、位置登録処理に基づいて移動局５００の把握を行うことができる。【選択図】図１
2011124856.tif 000002
【特許請求の範囲】
【請求項１】
複数の周波数が割り当てられた第１領域に在圏する移動局の通信を制御する第１基地局と、前記第１領域内において前記第１領域よりも小さい第２領域を通信範囲とする第２基地局と、前記第２基地局と通信可能に接続された情報管理装置と、を含んで構成された利用者情報管理システムであって、
前記第２基地局は、
前記第１基地局が出力する報知情報とは異なる報知情報を、前記第２領域に向けて出力する報知情報出力部と、
前記移動局が前記報知情報の切り替わりを検出したときに出力する応答情報を前記移動局から受信する応答情報受信部と、
前記応答情報受信部が受信した前記応答情報を前記情報管理装置へ送信する応答情報送信部と、
を備え、
前記情報管理装置は、
前記応答情報送信部より送信された応答情報を取得する応答情報取得部と、
取得された前記応答情報に基づいて、前記第２領域内の前記移動局の把握を行う移動局把握部と、
前記移動局把握部による把握結果を出力する出力部と、
を備える利用者情報管理システム。
【請求項２】
前記報知情報出力部は、前記第１基地局が設定した複数の周波数毎に、所定の順序に従って当該周波数に対応する報知情報を順次出力する請求項１に記載の利用者情報管理システム。
【請求項３】
前記第２基地局は、前記第１基地局に設定されたRouting Area情報とは異なるRouting Area情報、および、前記第１基地局に設定されたLocation Area情報とは異なるLocation Area情報の少なくとも一方が前記複数の周波数毎に設定され、
前記報知情報出力部は、設定された前記情報に基づいて前記報知情報を出力する請求項１または２に記載の利用者情報管理システム。
【請求項４】
前記移動局把握部は、さらに前記移動局の把握結果に基づいて、他の基地局から得られた前記移動局の把握結果も含めて前記移動局の動態情報を算出し、
前記出力部は、さらに前記移動局把握部によって算出された動態情報を出力する請求項１から３のいずれか一項に記載の利用者情報管理システム。
【請求項５】
複数の周波数が割り当てられた第１領域に在圏する移動局の通信を制御する第１基地局と、前記第１領域内において前記第１領域よりも小さい第２領域を通信範囲とする第２基地局と、前記第２基地局と通信可能に接続された情報管理装置と、を含んで構成された利用者情報管理システムにおいて実行される利用者情報管理方法であって、
前記第２基地局が、前記第１基地局が出力する報知情報とは異なる報知情報を、前記第２領域に向けて出力する報知情報出力ステップと、
前記第２基地局が、前記移動局が前記報知情報の切り替わりを検出したときに出力する応答情報を前記移動局から受信する応答情報受信ステップと、
前記第２基地局が、前記応答情報受信ステップにおいて受信された前記応答情報を前記情報管理装置へ送信する応答情報送信ステップと、
前記情報管理装置が、前記応答情報送信ステップにおいて送信された応答情報を取得する応答情報取得ステップと、
前記情報管理装置が、取得された前記応答情報に基づいて、前記第２領域内の前記移動局の把握を行う移動局把握ステップと、
前記情報管理装置が、前記移動局把握ステップによる把握結果を出力する出力ステップと、
を備える利用者情報管理方法。
【発明の詳細な説明】
【技術分野】
【０００１】
本発明は、移動局の利用者情報管理システムおよび利用者情報管理方法に関する。
【背景技術】
【０００２】
従来、移動局の通信システムは、通信システム全体での移動局収容能力を向上させるため、複数の周波数（バンド・キャリア）が用いられている。移動局は、その内の１つの周波数が割り当てられたセルに在圏し、在圏するセルの周波数を通じて通信を行っている。このような、複数の周波数を用いた通信システムとして、例えば特許文献１に記載されたものがある。
【先行技術文献】
【特許文献】
【０００３】
【特許文献１】特開２００３−１８６４９号公報
【発明の概要】
【発明が解決しようとする課題】
【０００４】
ところで、複数のセルに散らばった移動局の中から、ある対象領域内に在圏する移動局のみを把握したいという要望がある。この場合、当該対象領域を包含する複数のセル内の全ての移動局に対して、ネットワーク側から全ての移動局にＧＰＳ（Global Positioning System）機能を用いた位置の測位を行わせ、測位結果から上記対象域内に存在する移動局を特定することが考えられる。しかしながら、ＧＰＳ機能に非対応の移動局は、位置の測位を行うことができず、網羅性に欠ける。また、対象領域を包含する全てのセルを対象範囲とするため、位置特定の必要のない対象領域外の移動局に対してもＧＰＳ機能による位置の測位を行わせてしまうことになり、効率性に欠ける。更には屋内でＧＰＳ機能を用いた位置の測位を実施した場合は測位誤差が大きくなる可能性が高く、精度に欠ける。
【０００５】
そこで本発明は、上記課題に鑑み、異なる周波数が割り当てられた複数の異なるセルが地理的に重複して設定された環境で、個々のセルに在圏する移動局の中から、ある対象領域内に在圏する移動局を把握可能な利用者情報管理システムおよび利用者情報管理方法を提供することを目的とする。
【課題を解決するための手段】
【０００６】
上記課題を解決するため、本発明の利用者情報管理システムは、複数の周波数が割り当てられた第１領域に在圏する移動局の通信を制御する第１基地局と、前記第１領域内において前記第１領域よりも小さい第２領域を通信範囲とする第２基地局と、前記第２基地局と通信可能に接続された情報管理装置と、を含んで構成された利用者情報管理システムであって、前記第２基地局は、前記第１基地局が出力する報知情報とは異なる報知情報を、前記第２領域に向けて出力する報知情報出力部と、前記移動局が前記報知情報の切り替わりを検出したときに出力する応答情報を前記移動局から受信する応答情報受信部と、前記応答情報受信部が受信した前記応答情報を前記情報管理装置へ送信する応答情報送信部と、を備え、前記情報管理装置は、前記応答情報送信部より送信された応答情報を取得する応答情報取得部と、取得された前記応答情報に基づいて、前記第２領域内の前記移動局の把握を行う移動局把握部と、前記移動局把握部による把握結果を出力する出力部と、を備える。
【０００７】
また、本発明の利用者情報管理方法は、複数の周波数が割り当てられた第１領域に在圏する移動局の通信を制御する第１基地局と、前記第１領域内において前記第１領域よりも小さい第２領域を通信範囲とする第２基地局と、前記第２基地局と通信可能に接続された情報管理装置と、を含んで構成された利用者情報管理システムにおいて実行される利用者情報管理方法であって、前記第２基地局が、前記第１基地局が出力する報知情報とは異なる報知情報を、前記第２領域に向けて出力する報知情報出力ステップと、前記第２基地局が、前記移動局が前記報知情報の切り替わりを検出したときに出力する応答情報を前記移動局から受信する応答情報受信ステップと、前記第２基地局が、前記応答情報受信ステップにおいて受信された前記応答情報を前記情報管理装置へ送信する応答情報送信ステップと、前記情報管理装置が、前記応答情報送信ステップにおいて送信された応答情報を取得する応答情報取得ステップと、前記情報管理装置が、取得された前記応答情報に基づいて、前記第２領域内の前記移動局の把握を行う移動局把握ステップと、前記情報管理装置が、前記移動局把握ステップによる把握結果を出力する出力ステップと、を備える。
【０００８】
この発明によれば、第２基地局は、第１基地局が出力する報知情報とは異なる報知情報を第２領域に向けて出力し、第２領域内の移動局が送信した応答情報を受信する。情報管理装置は、この応答情報に基づいて移動局の把握を行うことができる。このように、異なる周波数が割り当てられた複数の異なるセルが地理的に重複して設定された環境であっても、移動局の把握を行うことが可能となる。
【０００９】
また、前記報知情報出力部は、前記第１基地局が設定した複数の周波数毎に、所定の順序に従って当該周波数に対応する報知情報を順次出力することが好ましい。これにより、各周波数に対応した報知情報の出力および応答情報の受信を行う無線通信装置を、各周波数毎に実装する必要がなく、簡素な構成とすることができる。
【００１０】
また、前記第２基地局は、前記第１基地局に設定されたRouting Area情報とは異なるRouting Area情報、および、前記第１基地局に設定されたLocation Area情報とは異なるLocation Area情報の少なくとも一方が前記複数の周波数毎に設定され、前記報知情報出力部は、設定された前記情報に基づいて前記報知情報を出力することが好ましい。これにより、全ての移動局が対応している情報を用いて、他の無線セルの報知情報と異なる報知情報を容易に設定することができる。
【００１１】
また、前記移動局把握部は、さらに前記移動局の把握結果に基づいて、他の基地局から得られた前記移動局の把握結果も含めて前記移動局の動態情報を算出し、前記出力部は、さらに前記移動局把握部によって算出された動態情報を出力することが好ましい。このように、移動局の把握結果より移動局の動態情報を網羅的に取得することが可能となる。
【発明の効果】
【００１２】
本発明によれば、異なる周波数が割り当てられた複数の異なる無線セルが地理的に重複して設定された環境であっても、移動局の把握を行うことができる。
【図面の簡単な説明】
【００１３】
【図１】本実施形態の利用者情報管理システムのシステム構成を示す図である。
【図２】情報管理装置および基地局の構成を示す図である。
【図３】各無線セルに設定されるＲＡ／ＬＡを示す図である。
【図４】移動局の把握処理の流れを示すフローチャートである。
【図５】基地局が無線セルを順次形成する様子を示す図である。
【発明を実施するための形態】
【００１４】
添付図面を参照しながら本発明の実施形態を説明する。可能な場合には、同一の部分には同一の符号を付して、重複する説明を省略する。
【００１５】
［利用者情報管理システムの全体構成］
図１は、本実施形態の利用者情報管理システム１のシステム構成を示す図である。図１に示すように、この利用者情報管理システム１は、３Ｇ（3rd Generation）の無線通信方式を形成する３Ｇ公衆基地局１１（特許請求の範囲における第１基地局）および無線通信制御局１０と、ＬＴＥ（Long Term Evolution）の無線通信方式を形成するＬＴＥ公衆基地局２１（特許請求の範囲における第１基地局）および交換局２０と、３Ｇ公衆基地局１１およびＬＴＥ公衆基地局２１が形成する無線セル内の領域に無線セルを形成する基地局４０（特許請求の範囲における第２基地局）と、基地局４０と通信可能に接続された情報管理装置３０とを含んで構成されている。利用者情報管理システム１は、３Ｇの無線通信方式とＬＴＥの無線通信方式とが共存していてもよい。
【００１６】
３Ｇ公衆基地局１１は、周波数の異なる無線セル１００，１０１（特許請求の範囲における第１領域）を形成している。またＬＴＥ公衆基地局２１は、周波数の異なる無線セル１０２，１０３（特許請求の範囲における第１領域）を形成している。なお、３Ｇ公衆基地局１１が形成する無線セルとＬＴＥ公衆基地局２１が形成する無線セルとは周波数が異なっている。また、これらの無線セル１００，１０１，１０２，１０３は、少なくとも所定の領域Ａ上で重なるようにして形成されているものとする。また、３Ｇ公衆基地局１１およびＬＴＥ公衆基地局２１は、それぞれ２つの無線セルを形成するものとしたが、設定する無線セルの数はこれに限定されるものではない。また、図１では、領域Ａを含むようにして形成された無線セル１００，１０１，１０２，１０３を階層的に分けて図示している。
【００１７】
また、複数の移動局５０，５１，５２，５３，５４（以下、これらの移動局を総称して移動局５００と言う）が、各無線セル１００，１０１，１０２，１０３に在圏している。具体的には、移動局５０，５１が、３Ｇ公衆基地局１１が形成する無線セル１００に在圏し、移動局５２が、３Ｇ公衆基地局１１が形成する無線セル１０１に在圏している。また、移動局５３が、ＬＴＥ公衆基地局２１が形成する無線セル１０２に在圏し、移動局５４が、ＬＴＥ公衆基地局２１が形成する無線セル１０３に在圏している。
【００１８】
基地局４０は、当該基地局４０が形成する無線セル２００（特許請求の範囲における第２領域）が、利用者情報管理システム１を用いて移動局５００の把握を行いたい対象領域Ｘと同一となるように設定される。なお、基地局４０として、例えば、設置を簡易にするための自動コンフィギュレーションを具備し、家庭等の小規模なエリアに設置されるフェムト基地局（Home NodeB／HomeeNodeB）を利用することができる。
【００１９】
なお、情報管理装置３０、基地局４０、移動局５００はいずれも、図示は省略するが、通常の情報処理装置の基本構成（即ち、ＣＰＵ、ＲＡＭ、ＲＯＭ、情報やコマンド等を入力するための入力デバイス、外部との通信を行う通信デバイス、情報を記憶する記憶デバイス、及び、ディスプレイ等の出力デバイスなど）を備えることは言うまでもない。
【００２０】
［情報管理装置および基地局の詳細構成］
次に、情報管理装置３０および基地局４０の構成について詳細に説明する。図２は、情報管理装置３０および基地局４０の詳細構成を示す図である。図２に示すように、基地局４０は、報知情報を出力する報知情報出力部４０１と、移動局５００が送信した応答情報を受信する応答情報受信部４０２と、受信された応答情報を情報管理装置３０へ送信する応答情報送信部４０３とを含んで構成される。
【００２１】
ここで、基地局４０には、移動局５００との通信に用いられるRouting Area情報（以下、単に「ＲＡ」と言う）およびLocation Area情報（以下、単に「ＬＡ」と言う）が、無線セル１００，１０１，１０２，１０３のＲＡおよびＬＡとは少なくともどちらか一つが異なるように設定されている。また基地局４０は、各無線セル１００，１０１，１０２，１０３に対応する周波数毎に無線セル２００をそれぞれ形成する。
【００２２】
図３に、基地局４０に設定されたＲＡおよびＬＡの例を示す。図３（ａ）に示すように、３Ｇ公衆基地局１１が形成する無線セル１００のＲＡが「ＡＡＡＡＡＡ」およびＬＡが「１１１１１１」の場合、無線セル１００に対応する周波数に形成される無線セル２００のＲＡが「ＢＢＢＢＢＢ」およびＬＡが「２２２２２２」となるように、基地局４０にＲＡおよびＬＡが設定される。同様に、図３（ｂ）に示すように、ＬＴＥ公衆基地局２１が形成する無線セル１０２のＲＡが「ＸＸＸＸＸＸ」およびＬＡが「３３３３３３」の場合、無線セル１０２に対応する周波数に形成される無線セル２００のＲＡが「ＹＹＹＹＹＹ」およびＬＡが「４４４４４４」となるように、基地局４０にＲＡおよびＬＡが設定される。
【００２３】
なお、３Ｇ公衆基地局１１およびＬＴＥ公衆基地局２１は、各無線セルに対して報知情報を出力している。そのため、基地局４０の設定時に、無線セル１００，１０１，１０２，１０３の報知情報からＲＡおよびＬＡを抽出し、抽出したＲＡおよびＬＡと異なるＲＡおよびＬＡを、基地局４０のＲＡおよびＬＡとして自動設定することもできる。
【００２４】
図２に戻り、報知情報出力部４０１は、各無線セル１００，１０１，１０２，１０３と対応する周波数の無線セル２００を形成し、設定されたＲＡおよびＬＡに基づいて、対象領域Ｘに向けて報知情報を出力する。この報知情報は、移動局５００に対して、当該移動局５００がどの無線セルに在圏しているかを報知するものである。
【００２５】
ここで、移動局５００は、当該移動局５００の移動等によって、受信する報知情報（ＬＡもしくはＲＡ）の切り替わりを検出すると、当該移動局５００の位置を報知するための応答情報を基地局４０に送信するものである。すなわち、移動局５００は無線セル２００に入圏または離圏したときに、報知情報の切り替わりを検出し、応答情報を送信する。基地局４０の応答情報受信部４０２は、無線セル２００に入圏または離圏した移動局５００から送信された応答情報を受信する。応答情報送信部４０３は、受信された応答情報を情報管理装置３０へ送信するものである。
【００２６】
情報管理装置３０の応答情報取得部３０１は、基地局４０の応答情報送信部４０３から送信された応答情報を取得する。移動局把握部３０２は、取得された応答情報に基づいて、基地局４０が形成する無線セル２００内に在圏する移動局５００の台数の把握や、移動局５００の台数に基づいて各種の統計処理などを行うものである。更には他の基地局から得られた前記移動局の把握結果も含めて前記移動局の動態情報を網羅的に算出するものである。この統計処理には、例えば、移動局５００の利用者の属性情報が格納された外部のデータベースから対象領域Ｘ内に存在する移動局５００の利用者の情報を抽出し、統計処理を行うことなども含まれる。出力部３０３は、移動局把握部３０２の処理結果を出力する。ここでの「出力」は、表示出力および印刷出力を広く含むことは言うまでもない。即ち、処理結果を、ディスプレイ等に表示出力されてもよいし、プリンタ等から印刷出力されてもよいし、表示と印刷の両方で出力されてもよい。
【００２７】
［移動局の把握処理］
次に、無線セル１００，１０１，１０２，１０３に対応する周波数毎に基地局４０が無線セル２００を順次形成し、移動局５００の把握を行う処理について説明する。これは、対象領域Ｘに存在する移動局５００を情報管理装置３０で把握する、即ち基地局４０が形成する無線セル２００内であることを移動局５００に認識させて情報管理装置３０側に通知させるものである。図４は、移動局の把握処理の流れを示すフローチャートであり、図５は、基地局４０が無線セル１００，１０１，１０２，１０３に対応する周波数毎に無線セル２００を順次形成する様子を示す図である。なお、本実施形態において、基地局４０は、形成する無線セル２００の周波数を所定の時間（例えば１分）毎に切り替えて、無線セル１００，１０１，１０２，１０３内に無線セル２００を順次形成し、この処理を繰り返すものである。
【００２８】
まず、基地局４０の報知情報出力部４０１は、予め定められた条件に従い、初めに形成する無線セル２００の周波数を決定して無線セル２００を形成し、当該無線セル２００内に報知情報を出力する（ステップＳ１（特許請求の範囲における報知情報出力ステップ））。具体的には、図５（ａ）に示すように、予め定められた条件に従い、無線セル１００に対応する周波数の無線セル２００を無線セル１００内に形成し、無線セル２００内に報知情報を送信する。
【００２９】
報知情報出力部４０１が報知情報を出力しているときに、図５（ａ）に示すように、無線セル２００内に移動局５０が入圏した場合、移動局５０は、３Ｇ公衆基地局１１が送信した報知情報から基地局４０が送信した報知情報に切り替わったことを検出し、応答情報を送信する。移動局５０から送信された応答情報を応答情報受信部４０２が受信する（ステップＳ２（特許請求の範囲における応答情報受信ステップ））と、応答情報送信部４０３は、受信された応答情報を情報管理装置３０へ送信する（ステップＳ３（特許請求の範囲における応答情報送信ステップ））。ここでは、無線セル２００内に移動局が入圏した場合を説明したが、無線セル２００から離圏する場合であっても、離圏する移動局が３Ｇ公衆基地局１１もしくはＬＴＥ公衆基地局２１に送信した応答情報を情報管理装置３０に送信することで、無線セル２００から離圏したことを検出できる。なお、応答情報送信部４０３が送信する応答情報は、移動局５０が無線セル２００内に存在するか否かを示す情報が含まれていれば、応答情報受信部４０２で受信された応答情報に加工処理を行った情報であってもよい。
【００３０】
報知情報出力部４０１は、無線セル２００を形成してから所定時間が経過したかどうかを判断する（ステップＳ４）。所定時間が経過していない場合（ステップＳ４：ＮＯ）には、ステップＳ１に戻り、上述したように、無線セル２００内に報知情報を継続して出力し、無線セル２００内に入圏または離圏した移動局５００が送信する応答情報を受信する処理を繰り返す。
【００３１】
一方、所定時間が経過した場合（ステップＳ４：ＹＥＳ）に、報知情報出力部４０１は、別の無線セル２００を形成する周波数を選択し、各部の設定変更を行い（ステップＳ５）、ステップＳ１に戻り上述の処理を行う。これにより、図５（ｂ）に示すように、３Ｇ公衆基地局１１が形成する無線セル１０１内に無線セル２００が形成されるとともに報知情報出力部４０１から無線セル２００内に報知情報が出力され、上記と同様に、移動局から応答情報を取得することができる。このように、基地局４０は、図５（ａ）、図５（ｂ）、図５（ｃ）、図５（ｄ）に示すように、無線セル１００，１０１，１０２，１０３内に無線セル２００を所定時間毎に切り替えることにより、各無線セルに在圏する移動局５００から順次応答情報を取得することができる。
【００３２】
図４に戻り、基地局４０の応答情報送信部４０３から応答情報が送信されると、情報管理装置３０の応答情報取得部３０１は、送信された応答情報を取得する（ステップＳ６（特許請求の範囲における応答情報取得ステップ））。移動局把握部３０２は、取得された応答情報に基づいて対象領域Ｘ内に存在する移動局の台数の把握や、移動局の台数に基づいて各種の統計処理などを行う（ステップＳ７（特許請求の範囲における移動情報把握ステップ））。更には他の基地局から得られた前記移動局の把握結果も含めて前記移動局の動態情報を網羅的に算出する（ステップＳ７（特許請求の範囲における移動情報把握ステップ））。出力部３０３は、移動局把握部３０２の処理結果を出力する（ステップＳ８（特許請求の範囲における出力ステップ））。
【００３３】
以上のように、対象領域Ｘに存在する全ての周波数（３Ｇ公衆基地局１１およびＬＴＥ公衆基地局２１が無線セルを形成した周波数）に対して、基地局４０によって無線セル２００が順次形成される。無線セル２００を各周波数に対して順次形成することにより、対象領域Ｘ（無線セル２００）内に存在する移動局を全周波数に対して網羅的に把握することが可能になり、また、全周波数分の無線送受信機を基地局４０に設ける必要がない。このように、基地局４０が形成する無線セル２００は、通信を提供する無線セルとしてではなく、その領域内に存在する移動局を把握するセンサー機能の役割を有するものといえる。更には通常の基地局と同様、通信を提供するものであってもよい。なお無線セル２００を各周波数毎に切り替えるタイミングで通信中の移動機が存在する場合は、基地局４０が形成する無線セル２００を包含している無線セル１００，１０１，１０２，１０３にハンドオーバさせても良い。
【００３４】
また、対象領域Ｘ（基地局４０が形成する無線セル２００）を情報管理装置３０側で一意に特定する方法として、Cell Identityなどの無線セルを特定できる全国で唯一のＩＤを用いる方法があり、この場合には、報知情報および応答情報を用いた移動局の位置登録処理で情報管理装置３０側に全国で唯一のＩＤが通知されるので、該当ＩＤから対象領域Ｘを情報管理装置３０側で一意に特定することができる。その他にも、全国で唯一のＲＡ／ＬＡを基地局４０が形成する無線セル２００に設定することで、ＲＡ／ＬＡを情報管理装置３０側で対象領域Ｘを一意に特定できる全国で唯一のＩＤとして利用することも可能である。
【００３５】
［作用および効果について］
次に、本実施形態における利用者情報管理システム１の作用および効果について説明する。
【００３６】
以上説明した実施形態によれば、３Ｇ公衆基地局１１およびＬＴＥ公衆基地局２１が設定した複数の無線セルに対応する報知情報であって、３Ｇ公衆基地局１１およびＬＴＥ公衆基地局２１が出力する報知情報とは異なる報知情報を、基地局４０が対象領域Ｘ内に向けて出力し無線セル２００を形成する。無線セル２００内に進入してきた移動局５００は無線セル２００の報知情報を受信して位置登録処理を実行する。これにより、情報管理装置３０は、異なる周波数が割り当てられた複数の異なる無線セルが地理的に重複して設定された環境であっても、位置登録処理に基づいて移動局５００の把握を行うことができる。
【００３７】
また、３ＧＰＰ（3rd Generation Partnership Project）において３Ｇ方式（無線通信制御局１０、３Ｇ公衆基地局１１）やＬＴＥ方式（交換局２０、ＬＴＥ公衆基地局２１）もしくはそれらが共存する通信システムにおいても、基地局４０が他の無線セルの報知情報とは異なる報知情報を無線セル２００内に出力することにより、移動局５００の把握を行うことができる。
【００３８】
また、店舗やブースや会場などの所定の対象領域Ｘをカバーするように基地局４０を設置し、対象領域Ｘ内に存在する移動局５００の把握を行うことで、来客者数、来客者の属性情報の統計データ等を把握することが可能となる。さらに、対象領域Ｘ内に存在する移動局５００を把握することができるので、対象領域Ｘ内の移動局５００の情報に基づいて、来客者だけにクーポンなどの情報を配信することもできる。
【００３９】
また、本実施形態によれば、３Ｇ公衆基地局１１およびＬＴＥ公衆基地局２１が形成する無線セル内に、基地局４０が順次無線セル２００を形成することにより、各周波数に対応した報知情報の出力および応答情報の受信を行う無線通信装置を、各周波数毎に実装する必要がなく、基地局４０を簡素な構成とすることができる。
【００４０】
また、本発明によれば、全ての移動局５０が対応しているＲＡおよびＬＡに基づいて報知情報を設定することにより、他の無線セルの報知情報と異なる報知情報を、報知情報出力部４０１が容易に生成することができる。
【００４１】
なお、本発明は、上述した各実施形態に限定されるものではない。
【００４２】
例えば、上記実施形態では、基地局４０が形成する無線セル２００の周波数を所定の時間（例えば１分）毎に切り替えて、無線セル１００，１０１，１０２，１０３内に無線セル２００を順次形成するものとしたが、無線セル１００内に無線セル２００を３０秒間形成し、無線セル２００の形成を２分間休止した後、次の無線セル１０１内に無線セル２００を３０秒間形成するなど、適宜のタイミングや周期を設定することができる。
【００４３】
また、報知情報出力部４０１は、設定されたＲＡおよびＬＡに基づいて、報知情報を出力するものとしたが、ＲＡおよびＬＡの一方の情報のみを用いて報知情報を出力してもよい。この場合であっても、各無線セル１００，１０１，１０２，１０３の報知情報と無線セル２００の報知情報とは異なるものとなり、移動局５００の把握を行うことができる。
【符号の説明】
【００４４】
１…利用者情報管理システム、１０…無線通信制御局、１１…３Ｇ公衆基地局、２０…交換局、２１…ＬＴＥ公衆基地局、３０…情報管理装置、４０…基地局、５０〜５４，５００…移動局、１００〜１０３，２００…無線セル、３０１…応答情報取得部、３０２…移動局把握部、３０３…出力部、４０１…報知情報出力部、４０２…応答情報受信部、４０３…応答情報送信部、Ｘ…対象領域。
【図１】
2011124856.tif 000003
【図２】
2011124856.tif 000004
【図３】
2011124856.tif 000005
【図４】
2011124856.tif 000006
【図５】
2011124856.tif 000007